(57)【要約】【課題】スラブ鉄筋側の型枠へのコンクリートの打設によって本体枠及び被り用型枠の内周面側に床を上下に貫通する開口部を形成するスラブ開口用型枠において、前記被り用型枠の本体枠側への着脱が容易であるとともに、被り用型枠と本体枠との連結部分に隙間が出来難いスラブ開口用型枠を提供することを課題としている。【解決手段】上下が開口した本体枠３と、本体枠３をスラブ鉄筋８側に支持する支持鉄筋４と、該本体枠３の上側又は下側に着脱可能に設けた被り用型枠７とを備え、スラブ鉄筋８側の型枠へのコンクリートの打設によって床を上下に貫通する開口部２を形成し、該開口部２の被り厚が前記被り用型枠７によって形成されるスラブ開口用型枠において、前記被り用型枠７の下端側は、前記本体枠３の上端側よりも下方に位置するように構成され、或いは、前記被り用型枠７の上端側は、前記本体枠３の下端側よりも上方に位置するように構成された。【選択図】図４
2018199899.tif 000002
【特許請求の範囲】
【請求項１】
上下が開口した筒状に形成された本体枠（３）と、
該本体枠（３）の上面又は下面側からスラブ鉄筋（８）側に突出させて、本体枠（３）をスラブ鉄筋（８）側に支持する支持鉄筋（４）と、
前記本体枠（３）に沿った筒状に形成されて該本体枠（３）の上側又は下側に着脱可能に設けた被り用型枠（７）とを備え、
スラブ鉄筋（８）側の型枠へのコンクリートの打設によって本体枠（３）及び被り用型枠（７）の内周面側に床を上下に貫通する開口部（２）を形成し、該開口部（２）の被り厚が前記被り用型枠（７）によって形成されるスラブ開口用型枠において、
前記被り用型枠（７）の下端側が、前記本体枠（３）の上端側よりも下方に位置するように構成され、又は、前記被り用型枠（７）の上端側が、前記本体枠（３）の下端側よりも上方に位置するように構成された
スラブ開口用型枠。
【請求項２】
前記被り用型枠（７）の内周面側が前記本体枠（３）の外周面側に当接するように構成された
請求項１に記載のスラブ開口用型枠。
【請求項３】
前記被り用型枠（７）の外周面側が前記本体枠（３）の内周面側に当接するように構成された
請求項１に記載のスラブ開口用型枠。
【請求項４】
前記被り用型枠（７）は、本体枠（３）に沿って形成された型枠部（１７Ａ）と、該型枠部（１７Ａ）の周面から本体枠（３）側に向かって延設された係止片（１７Ｂ）とを有し、前記係止片（１７Ｂ）が本体枠（３）の周面側に当接するように構成された
請求項２又は３の何れかに記載のスラブ開口用型枠。
【請求項５】
前記本体枠（３）の周面側には、上下方向の縦鉄筋（１３）が複数設けられており、該縦鉄筋（１３）の端部側に前記前記被り用型枠（７）が支持されるように構成された
請求項１乃至４の何れかに記載のスラブ開口用型枠。
【請求項６】
前記本体枠（３）は、横方向の横鉄筋（１１，１２）によって方形状に形成されており、該横鉄筋（１１，１２）上に前記被り用型枠（７）が支持されるように構成された
請求項１乃至４の何れかに記載のスラブ開口用型枠。
【請求項７】
前記被り用型枠（７）を、予め外側に向かって湾曲形成させた
請求項１乃至６の何れかに記載のスラブ開口用型枠。
【発明の詳細な説明】
【技術分野】
【０００１】
本発明は、鉄筋コンクリート構造の床板に工事用の開口部を一時的に形成するスラブ開口用型枠に関する。
【背景技術】
【０００２】
鉄筋コンクリート構造物の施工時に、各種工事を行う際に使用するだめ穴等の開口部を床板（スラブ）に形成する場合に、開口部を形成する本体枠と、該本体枠をスラブ鉄筋側に支持する支持鉄筋とをユニット化した型枠ユニットを用いた特許文献１に記載のスラブ開口用型枠が公知である。
【０００３】
また、型枠ユニットを用いてスラブ側に開口部を形成する場合に、該型枠ユニットの本体枠に沿って形成されて該本体枠側に着脱可能に取付けられる被り用型枠を設け、該被り用型枠により開口部近傍の被りを形成することができる特許文献２に記載のスラブ開口用型枠が公知である。
【先行技術文献】
【特許文献】
【０００４】
【特許文献１】特許６０３０３８６号公報
【特許文献２】特開２００４−１０８０８３号公報
【発明の概要】
【発明が解決しようとする課題】
【０００５】
上記特許文献２では、前記本体枠と支持鉄筋とがユニット化された型枠ユニットをスラブ鉄筋側に配置固定した状態で、スラブ鉄筋側の型枠へコンクリートを打設することによって、被りを含む前記開口部を形成できるものであるが、被り用型枠の本体枠側の取付固定に手間が掛かるとともに、被り用型枠と本体枠との連結面からスラブ鉄筋側に打設したコンクリートが漏れる場合があるという課題があった。
【０００６】
本発明は、スラブ鉄筋側の型枠へのコンクリートの打設によって本体枠及び被り用型枠の内周面側に床を上下に貫通する開口部を形成するスラブ開口用型枠において、前記被り用型枠の本体枠側への着脱が容易であるとともに、被り用型枠と本体枠との連結部分に隙間が出来難いスラブ開口用型枠を提供することを課題としている。
【課題を解決するための手段】
【０００７】
上記課題を解決するため、本発明は、第１に、上下が開口した筒状に形成された本体枠３と、該本体枠３の上面又は下面側からスラブ鉄筋８側に突出させて、本体枠３をスラブ鉄筋８側に支持する支持鉄筋４と、前記本体枠３に沿った筒状に形成されて該本体枠３の上側又は下側に着脱可能に設けた被り用型枠７とを備え、スラブ鉄筋８側の型枠へのコンクリートの打設によって本体枠３及び被り用型枠７の内周面側に床を上下に貫通する開口部２を形成し、該開口部２の被り厚が前記被り用型枠７によって形成されるスラブ開口用型枠において、前記被り用型枠７の下端側は、前記本体枠３の上端側よりも下方に位置するように構成され、或いは、前記被り用型枠７の上端側は、前記本体枠３の下端側よりも上方に位置するように構成されたことを特徴としている。
【０００８】
第２に、前記被り用型枠７の内周面側が前記本体枠３の外周面側に当接するように構成されたことを特徴としている。
【０００９】
第３に、前記被り用型枠７の外周面側が前記本体枠３の内周面側に当接するように構成されたことを特徴としている。
【００１０】
第４に、前記被り用型枠７は、本体枠３に沿って形成された型枠部１７Ａと、該型枠部１７Ａの周面から本体枠３側に向かって延設された係止片１７Ｂとを有し、前記係止片１７Ｂが本体枠３の周面側に当接するように構成されたことを特徴としている。
【００１１】
第５に、前記本体枠３の周面側には、上下方向の縦鉄筋１３が複数設けられており、該縦鉄筋１３の端部側に前記前記被り用型枠７が支持されるように構成されたことを特徴としている。
【００１２】
第６に、前記本体枠３は、横方向の横鉄筋１１，１２によって方形状に形成されており、該横鉄筋１１，１２上に前記被り用型枠７が支持されるように構成されたことを特徴としている。
【００１３】
第７に、前記被り用型枠７を、予め外側に向かって湾曲形成させたことを特徴としている。
【発明の効果】
【００１４】
前記被り用型枠は、本体枠と連結される開口下端側が、前記本体枠の上端側よりも下方に位置するように構成され、又は、本体枠と連結される開口上端側が、前記本体枠の下端側よりも上方に位置するように構成されたことにより、本体枠と被り用型枠の一部が側面視で一部ラップした状態で取付けられるため、簡易な構成によって被り用型枠と本体枠との連結部分に隙間が出来難くなる。
【００１５】
また、前記被り用型枠の内周面側が前記本体枠の外周面側に当接するように構成されたものによれば、該本体枠によって被り用型枠の内側への変形が規制されるため、被り用型枠自体の強度を必要以上に高くしなくても、スラブ鉄筋側の型枠に打設されたコンクリートから受ける圧力により耐えることができ、コストも削減することができる。
【００１６】
また、前記被り用型枠の外周面側が前記本体枠の内周面側に当接するように構成されたものによれば、被り用型枠の本体枠側へ設置する際の位置決めをスムーズにすることができる。
【００１７】
なお、前記被り用型枠は、本体枠に沿って形成された型枠部と、該型枠部の周面から本体枠側に向かって延設された係止片とを有し、前記係止片が本体枠の周面側に当接するように構成されたものによれば、被り用型枠の本体枠側への位置決めが容易になるとともに、該係止片が本体枠の外周面又は内周面側と当接するため、型枠部の全体を当接させる場合と比較してさらにコストを低く抑えることができる。
【００１８】
また、前記本体枠の周面側には、上下方向の縦鉄筋が複数設けられており、該縦鉄筋の端部側に前記前記被り用型枠が支持されるように構成されたものによれば、前記被り用型枠を本体枠の内周面又は外周面側に当接させた取付位置で位置決めすることができる。
【００１９】
また、前記本体枠は、横方向の横鉄筋によって方形状に形成されており、該横鉄筋上に前記被り用型枠が支持されるように構成されたものによれば、前記本体枠と被り用型枠の開口形状とを略同じにすることができるため、開口部形成後の被り用型枠の取り外しが容易になるとともに、開口部の仕上がりも良くなる。
【００２０】
なお、前記被り用型枠を、予め外側に向かって湾曲形成させたものによれば、該被り用型枠がスラブ鉄筋側の型枠に打設されたコンクリートによって本体枠の内側へ向けて受ける圧力が大きい場合であっても、十分に受け止めることができる。
【図面の簡単な説明】
【００２１】
【図１】開口部を形成する型枠ユニットをスラブ鉄筋側に設置した状態を示す平面図である。
【図２】開口部を形成する型枠ユニットをスラブ鉄筋側に設置した状態を示す側面図である。
【図３】（Ａ）及び（Ｂ）は、型枠ユニットを示した平面図及び側面図である。
【図４】（Ａ）及び（Ｂ）は、被り用型枠の設置部分を示した要部側面図及び要部平面図である。
【図５】（Ａ）及び（Ｂ）は、別実施例１の被り用型枠の設置状態を示した要部側面図及び要部平面図である。
【図６】（Ａ）及び（Ｂ）は、別実施例２の被り用型枠の設置状態を示した要部側面図及び要部平面図である。
【図７】（Ａ）及び（Ｂ）は、別実施例３の被り用型枠の設置状態を示した要部側面図及び要部平面図である。
【図８】別実施例４の被り用型枠の設置状態を示した要部側面図である。
【図９】（Ａ）は、別実施例５の被り用型枠の設置状態を示した平面図であり、（Ｂ）は、別実施例５の被り用型枠を示した平面図である。
【発明を実施するための形態】
【００２２】
以下、本発明の実施形態を図１乃至図４に基づき説明する。図１及び図２は、開口部を形成する型枠ユニットをスラブ鉄筋側に設置した状態を示す平面図及び側面図であり、図３（Ａ）及び（Ｂ）は、型枠ユニットを示した平面図及び側面図であり、図４（Ａ）及び（Ｂ）は、被り用型枠の設置部分を示した要部側面図及び要部平面図である。図示されるように、本発明の型枠ユニット（スラブ開口用型枠）１は、鉄筋コンクリート構造の床板（スラブ）に工事の際に使用する通称「だめ穴」（以下、開口部）を形成するとともに、工事終了後に該開口部とともにコンクリートで埋設されるものである。
【００２３】
前記型枠ユニット１は、床板を上下方向に貫通する方形枠状の前記開口部２に沿うように鉄筋を編成した型枠鉄筋（本体枠）３と、該型枠鉄筋３の上部側及び下部側に配置されて開口部周辺のスラブ鉄筋側へ向けて延設されるアンカー鉄筋（支持鉄筋）４と、開口部２上にスライド移動可能に設けた補強鉄筋６と、前記型枠鉄筋３の上面側に着脱可能に載置されて開口部２における被り厚を形成するための被り用型枠７とを備え、床板内の上下位置にそれぞれ格子状に設けられたスラブ鉄筋８の間に配置されている（図１及び図２参照）。このとき、開口部２が形成される個所では、床板の上下方向が貫通されるようにスラブ鉄筋８が除去されている。
【００２４】
前記型枠鉄筋３は、開口部２の長手方向に沿って並行に配置される第１鉄筋１１と、該第１鉄筋１１の端部と直行するように配置される第２鉄筋１２とを矩形状に編組することにより形成されている。具体的には、該型枠鉄筋３は、平行に配置した一対の第１鉄筋１１の端部側と、平行に配置した一対の第２鉄筋１２の端部側とを交差させて固着し、上下方向に交互に積み重ねることによって、方形状の枠体に形成されている。なお、該構成の型枠鉄筋３の周面側には、打設されるコンクリートを堰き止めるメッシュ部材等が設けられている（図示しない）。
【００２５】
また、該型枠鉄筋３は、その内周面側と外周面側には、上下方向に積み重ねられた各鉄筋１１，１２と直交する方向に設けられた上下方向の縦鉄筋１３が取付固定されており、該縦鉄筋１３により型枠鉄筋３がより強固になる。
【００２６】
前記アンカー鉄筋４は、前記型枠鉄筋３の第１鉄筋１１と第２鉄筋１２とに沿うように設けられて、平面視で型枠鉄筋３上に配置されたサブアンカー鉄筋４Ａと、平面視で型枠鉄筋の内側に配置されたメインアンカー鉄筋４Ｂとを備え、前記型枠鉄筋３が床板内により強固に固定されるように設けられている（図１及び図３参照）。
【００２７】
該サブアンカー鉄筋４Ａは、前記第１鉄筋１１と平面視で重なるように配置される第１サブアンカー鉄筋４Ａａと、第２鉄筋１２と平面視で重なるように配置される第２サブアンカー鉄筋４Ａｂとを備え、各サブアンカー鉄筋４Ａにより、前記型枠鉄筋３の上面側及び下面側のそれぞれに、開口部２の形状に沿った枠状となるように設けられている。
【００２８】
該メインアンカー鉄筋４Ｂは、前記第１サブアンカー鉄筋４Ａａと並行であって且つ開口部内面側に沿って延設される一対の第１メインアンカー鉄筋４Ｂａ，４Ｂａと、前記第２サブアンカー鉄筋４Ａｂと並行であって且つ開口部２内面側に沿って延設される一対の第２メインアンカー鉄筋４Ｂｂ，４Ｂｂとを備えている。
【００２９】
図示する例では、各メインアンカー鉄筋４Ｂは、サブアンカー鉄筋よりも太い鉄筋が用いられるとともに、各サブアンカー鉄筋４Ａよりも長く形成されている。このとき、前記型枠鉄筋３は、上下方向に並べた２本一組とした前記第１鉄筋１１と第２鉄筋１２を積み重ねて形成することにより、型枠鉄筋３の内側に太いメインアンカー鉄筋４Ｂを挿通させることができるように構成されている。
【００３０】
また、開口部２（型枠鉄筋３）外側のスラブ鉄筋８側に延設された、各アンカー鉄筋４の端部側は、それぞれＪ字状に屈曲形成されており、より強固に床板側のコンクリートと結合するように形成されており、これにより型枠鉄筋３全体が床板側と強力に一体化する。ちなみに、各アンカー鉄筋４の端部は直線状であってもよく、この場合には、アンカー鉄筋４がスラブ鉄筋８側に干渉し難くなって、型枠ユニット１がより設置し易くなる。
【００３１】
前記補強鉄筋６は、両端側がＪ字状に屈曲形成されるとともに、その両端側が一対の前記第２メインアンカー鉄筋４Ｂｂと係合する１又は複数（図示する例では１本）の第１補強鉄筋６と、両端側がＪ字状に屈曲形成されるとともに、その両端側が一対の前記第１メインアンカー鉄筋４Ｂａと係合する１又は複数（図示する例では４本）の第２補強鉄筋６とを有し、各補強鉄筋６は、両端側を各メインアンカー鉄筋４Ｂ上でスライド移動できるように構成されている。これにより、該補強鉄筋６は、開口部２の端に寄せることによって開口部を大きく開放することができる一方で、各補強鉄筋６を開口部上に並べることによって開口部を塞ぐように配置することもできる。
【００３２】
前記被り用型枠７は、前記型枠鉄筋３の平面視からの形状に沿って方形枠状に一体形成され、該型枠鉄筋３（具体的には縦鉄筋１３と横方向の第１鉄筋１１及び第２鉄筋１２）の上面側に着脱可能に設けることによって、開口部２の型枠（型枠ユニット）の一部となるように構成されている（図１及び図３参照）。また、該被り用型枠７の上下方向の幅は、スラブ側の型枠にコンクリートが打設された際に形成されるスラブの被り厚よりも高くなるように構成されている。
【００３３】
すなわち、該被り用型枠７は、床板内に埋め込まれる型枠鉄筋３と連結されて開口部２を形成する型枠となり、開口部２が形成された後に、スラブ内に埋め込まれる型枠鉄筋３側から取り外すことができる。これにより、該被り用型枠７は、スラブに形成される開口部２における被り（具体的には、鉄筋から、スラブ表面までの最短距離となるコンクリート厚）を形成することができる。該被り用型枠７の型枠鉄筋３側への具体的な着脱構成については後述する。
【００３４】
上述のように構成される型枠ユニット１は、スラブ鉄筋８側の型枠内に設置することにより、前記型枠鉄筋３及び被り用型枠７が床板側に形成される開口部を形成するための型枠となる。具体的には、型枠ユニット１の設置後にスラブ鉄筋８側の型枠にコンクリートを打設すると、開口部２の外側に突出した前記アンカー鉄筋４が、コンクリートと結合して前記型枠鉄筋３の全体が床板を形成するコンクリートと強力に一体化し、型枠鉄筋３と被り用型枠７の内側に前記開口部２が形成される。
【００３５】
ちなみに、図示する例では、まず、スラブ鉄筋８側の型枠にコンクリートを打設することにより、床板の上下に配設されたスラブ鉄筋８うち、下側のスラブ鉄筋８側だけが埋設される厚さの予備床１０と開口部２とを形成し、その後、該予備床１０の開口部２形成箇所に前記型枠ユニット１を載置し、その後に、スラブ鉄筋８側の型枠に残りのコンクリートを打設することによって、床板を形成している（図２参照）。
【００３６】
上記により、スラブ鉄筋８側にコンクリートが打設されることで床板と開口部２が形成されると、該型枠ユニット１は、型枠鉄筋３は、アンカー鉄筋４によりスラブと一体化する一方で、前記被り用型枠７は、型枠鉄筋３側から取外すことができる。これにより、開口部を形成するとともに、被り用型枠７が取り外された型枠ユニット１を床板側に固定することができる。
【００３７】
該型枠ユニット１により形成された開口部２は、工事等で使用される場合には、補強鉄筋６を端までスライド移動させて工事穴として用いられ、該開口部２が使用されない場合には、図示しない開口蓋によって、開口部を閉じることができるように構成されている。
【００３８】
また、工事が終了して開口部２が不要となった場合には、前記補強鉄筋６を平面視で開口部２上に配置されるようにスライド移動させてから、開口部２側にコンクリートを打設することにより、開口部２内に補強鉄筋６を配置した状態で開口部２を埋め立てることができる。以上より、工事終了後の、開口部２が形成された箇所の強度を十分に担保することができる。
【００３９】
次に、図３及び図４に基づいて、被り用型枠の設置態様について説明する。図４（Ａ）及び（Ｂ）は、被り用型枠の設置状態を示した要部側面図及び要部平面図である。図より、前記被り用型枠７は、その内周面側が、前記型枠鉄筋３の該外周面側（図示する例の場合、具体的には第１鉄筋１１の外側）と当接するように型枠鉄筋３よりも若干幅広な方形状となるように形成されている（図４（Ａ）及び（Ｂ）参照）。
【００４０】
これに対し、前記型枠鉄筋３側は、該型枠鉄筋３の外周面に取付固定された前記縦鉄筋１３Ａの長さが、型枠鉄筋３の内周面側に取付固定された縦鉄筋１３Ｂよりも短く形成されている。言い換えると、型枠鉄筋３の外周面側の前記縦鉄筋１３Ａの上端を、型枠鉄筋３の内周面側の縦鉄筋１３Ｂの上端よりも低くするとともに、型枠鉄筋３の上端を構成する第１鉄筋１１及び第２鉄筋１２よりも低くなるように構成した（図４（Ａ）参照）。
【００４１】
すなわち、前記被り用型枠７は、その下端側が型枠鉄筋３の上端側より下方に位置している。言い換えると、前記被り用型枠７の下端側と、型枠鉄筋３の上端側とは、側面視でラップした状態で、被り用型枠７が縦鉄筋１３Ａの上端側に支持されている。
【００４２】
該構成によれば、前記被り用型枠７は、前記型枠鉄筋３の外周側に嵌合されるように支持されることにより、型枠鉄筋３側へ取付ける際の位置決めが容易になるとともに、被り用型枠７の内周面（下）側と型枠鉄筋３の外周面（上）側とが当接することによって、被り用型枠７が外周面側から受ける外力によって枠内側に変形することを規制することができる。
【００４３】
これにより、被り用型枠７がスラブ鉄筋８側の型枠に打設されたコンクリートから受ける圧力によって撓む（変形する）ことを防止できるために、被り用型枠７の強度を必要以上に高くする必要がなく、被り用型枠７を型枠鉄筋３側へ強固に固定するために別途の固定部材を設ける必要もないため、全体の製造コストを低く抑えることができる。
【００４４】
ちなみに、型枠鉄筋の上部側に前記サブアンカー鉄筋４Ａが配置されて、前記被り用型枠７と干渉する場合には、前記被り用型枠７の下部側に、サブアンカー鉄筋４Ａが挿通される切欠部（図示しない）を形成しても良い。また、干渉するサブアンカー鉄筋４Ａを、平面視でラップする第１鉄筋又は第２鉄筋の長さに合わせて切断することにより、被り用型枠７を型枠鉄筋３側に嵌合可能に構成しても良い。
【００４５】
次に、図５に基づいて、別実施例１の被り用型枠について、上述の例と異なる点について説明する。図５（Ａ）及び（Ｂ）は、別実施例１の被り用型枠の設置状態を示した要部側面図及び要部平面図である。図より、前記被り用型枠７は、その外周面側が、前記型枠鉄筋３の該内周面側（図示する例の場合、具体的には第１鉄筋１１の内側）と当接するように型枠鉄筋３よりも若干幅狭な方形状となるように形成されている（図５（Ａ）及び（Ｂ）参照）。
【００４６】
これに対し、前記型枠鉄筋３側は、該型枠鉄筋３の内周面に取付固定された前記縦鉄筋１３Ｂの長さが、型枠鉄筋３の外周面側に取付固定された縦鉄筋１３Ａよりも短く形成されている。言い換えると、型枠鉄筋３の内周面側の前記縦鉄筋１３Ｂの上端を、型枠鉄筋３の外周面側の縦鉄筋１３Ａの上端よりも低くするとともに、型枠鉄筋３の上端を構成する第１鉄筋１１及び第２鉄筋１２よりも低くなるように構成した（図５（Ａ）参照）。
【００４７】
該構成によれば、前記被り用型枠７は、前記型枠鉄筋３の内周側に嵌合されるように支持されることにより、型枠鉄筋３側へ取付ける際の位置決めが容易になる。また、前記被り用型枠７が型枠鉄筋３の外側に突出するサブアンカー鉄筋４Ａ側に干渉することがなくなる。
【００４８】
次に、図６に基づいて、別実施例２の被り用型枠について、上述の例と異なる点について説明する。図６（Ａ）及び（Ｂ）は、別実施例２の被り用型枠の設置状態を示した要部側面図及び要部平面図である。図より、前記被り用型枠１７は、前記型枠鉄筋３を構成する第１鉄筋１１と第２鉄筋１２上に載置されるように開口部と略同程度の大きさの方形状に形成された型枠部１７Ａと、該型枠部１７Ａの外周面側に取付固定されて、型枠鉄筋３の外周面側と当接するように型枠部１７Ａの下方側に向けて延設された棒状の係止片１７Ｂとから構成されている（図６（Ａ）及び（Ｂ）参照）。
【００４９】
該構成によれば、前記型枠部１７Ａは、前記型枠鉄筋３を上下方向に延設するように設けられるため、床板を上下に貫通する開口部２を、被りを含めて凹凸なく形成することができる。
【００５０】
また、前記係止片１７Ｂは、枠状の前記型枠部１７Ａの外周面側に間隔を開けて複数個所に設けられており、各係止片１７Ｂが、型枠鉄筋３（第１鉄筋１１及び第２鉄筋）の外周面側に当接するように構成されているため、被り用型枠７を型枠鉄筋３側へ取付ける際の位置決めが容易になるとともに、被り用型枠７のガタツキも防止することができる。
【００５１】
なお、該係止片１７Ｂによれば、型枠鉄筋３の外側に延設される前記サブアンカー鉄筋４Ａ側にも略干渉しないため、サブアンカー鉄筋４Ａが被り用型枠１７側に干渉しないように加工する手間が掛からないため、被り用型枠１７をより安価に構成することができる。
【００５２】
次に、図７に基づいて、別実施例３の被り用型枠について、上述の例と異なる点について説明する。図７（Ａ）及び（Ｂ）は、別実施例３の被り用型枠の設置状態を示した要部側面図及び要部平面図である。図より、前記被り用型枠１７は、前記型枠部１７Ａと、該型枠部１７Ａの内周面側に取付固定されて、型枠鉄筋３の内周面側と当接するように型枠部１７Ａの下方側に向けて延設された棒状の係止片１７Ｂとから構成した。
【００５３】
該構成によれば、前記係止片１８Ｂが開口部２内側に配置されるため、スラブ鉄筋８側の型枠にコンクリートを打設して床板と開口部２を形成して、被り用型枠７を型枠鉄筋３側から取外す場合に、開口部２側に係止片１８Ｂの跡が残らず、被り用型枠７の取外すもスムーズ行うことができる（図７（Ａ）及び（Ｂ）参照）。
【００５４】
次に、図８に基づいて、別実施例１の被り用型枠について、上述の例と異なる点について説明する。図８は、別実施例４の被り用型枠の設置状態を示した要部側面図である。図より、前記被り用型枠７を、前記型枠鉄筋３を構成する第１鉄筋１１と第２鉄筋１２上に載置されるように開口部と略同程度の大きさの方形状に形成し、前記型枠鉄筋３側の前記縦鉄筋１３Ａ，１３Ｂを、型枠鉄筋３の第１鉄筋１１及び第２鉄筋１２の上端よりも上方側に延設した。
【００５５】
該構成によれば、前記被り用型枠７を前記第１鉄筋１１及び第２鉄筋１２（型枠鉄筋３）の上端側に載置支持すると、該被り用型枠７の内面側と外面側とが、前記縦鉄筋１３Ａ，１３Ｂによって挟まれるように配置される（図８参照）。これにより、前記縦鉄筋１３によって、被り用型枠７を型枠鉄筋３側に固定する際の位置決めが容易になるとともに、スラブ鉄筋８側の型枠へコンクリートを打設する際も、被り用型枠７が変形したり移動したりすることを防止できる。
【００５６】
次に、図９に基づいて、被り用型枠の別実施例５について説明する。図９（Ａ）は、別実施例５の被り用型枠の設置状態を示した平面図であり、図９（Ｂ）は、別実施例５の被り用型枠を示した平面図である。図示されるように、前記被り用型枠１８は、形成される開口部２の形状と比較して、予め外側に向かって湾曲させた枠状に形成しても良い。
【００５７】
該構成によれば、被り用型枠１８は、床板及び開口部形成時にスラブ鉄筋８側の型枠に打設されたコンクリートから受ける圧力と反対方向に予め湾曲されているため、より強度の低い安価な素材を用いても開口部近傍の被りを形成する型枠として機能させることができる。
【００５８】
ちなみに、上述の例では、前記被り用型枠７，１７，１８は、型枠鉄筋の上端側に載置固定された例を示したが、型枠鉄筋３の下面側にも同様に取付可能に構成しても良い。該構成によれば、一度のスラブ鉄筋８側の型枠へのコンクリートの打設作業で、床板及び開口部２を形成することができる。
【符号の説明】
【００５９】
２    開口部
３    型枠鉄筋（本体枠）
４    アンカー鉄筋（支持鉄筋）
７    被り用型枠
８    スラブ鉄筋
１１    第１鉄筋（横鉄筋）
１２    第２鉄筋（横鉄筋）
１３    縦鉄筋
１７Ａ  型枠部
１７Ｂ  係止片
【図１】
2018199899.tif 000003
【図２】
2018199899.tif 000004
【図３】
2018199899.tif 000005
【図４】
2018199899.tif 000006
【図５】
2018199899.tif 000007
【図６】
2018199899.tif 000008
【図７】
2018199899.tif 000009
【図８】
2018199899.tif 000010
【図９】
2018199899.tif 000011